(57)【要約】【課題】ランプベースであって、プラスチックベース部分１およびばね弾性的に形成された金属リング２が設けられており、金属リング２に一体成形されたウェブ２４，２５によって、金属リング２が、プラスチックベース部分１に固定されている形式のものを改良して、プラスチックベース部分と、プラスチックベース部分に固定され、かつ弾性的に形成された金属リングとの協働の改善されたものを提供する。【解決手段】ウェブ２４，２５とプラスチックベース部分１との間にクランプ部が形成されるように、ウェブが形成されている。【選択図】図１
2006332059.tif 000002
【特許請求の範囲】
【請求項１】
ランプベースであって、
プラスチックベース部分（１）および弾性的に形成された金属リング（２）が設けられており、該金属リング（２）に一体成形されたウェブ（２４，２５）によって、該金属リング（２）が、プラスチックベース部分（１）に固定されている形式のものにおいて、
ウェブ（２４，２５）とプラスチックベース部分（１）との間にクランプ部が形成されるように、ウェブ（２４，２５）が形成されていることを特徴とする、ランプベース。
【請求項２】
ウェブ（２４，２５）が、クランプ部を形成するために、プラスチックベース部分（１）の材料に食い込むようになっている、請求項１記載のランプベース。
【請求項３】
ウェブ（２４，２５）とプラスチックベース部分（１）との間のクランプ部が、ウェブ（２４，２５）および／またはプラスチックベース部分（１）における余剰寸法によって形成されるようになっている、請求項１または２記載のランプベース。
【請求項４】
ウェブ（２４，２５）が、クランプ部を形成するために、プラスチックベース部分（１）の壁部に設けられた突出部（１１）と協働するようになっている、請求項１から３までのいずれか１項記載のランプベース。
【請求項５】
ウェブ（２４，２５）が、突出部（１１）の材料に食い込むようになっている、請求項４記載のランプベース。
【請求項６】
ウェブ（２４，２５）と突出部（１１）との間のクランプ部が、ウェブ（２４，２５）および／または突出部（１１）における余剰寸法によって形成されるようになっている、請求項４または５記載のランプベース。
【請求項７】
ウェブ（２４，２５）が、シャープな縁を有する区分（２４０，２５０）を備えている、請求項１から６までのいずれか１項記載のランプベース。
【請求項８】
ウェブ（２４，２５）が、金属リング（２）のリング面に対して垂直に延びている、請求項１から７までのいずれか１項記載のランプベース。
【請求項９】
シャープな縁を有する区分（２４０，２５０）が、折り曲げて、またはフック状に、または鉤爪状に形成されている、請求項７記載のランプベース。
【請求項１０】
請求項１から９までのいずれか１項記載のランプベースを備えたランプ。
【発明の詳細な説明】
【技術分野】
【０００１】
本発明は、ランプベースであって、プラスチックベース部分およびばね弾性的に形成された金属リングが設けられており、金属リングに一体成形されたウェブによって、金属リングがプラスチックベース部分に固定されている形式のものに関する。
【０００２】
また本発明は、このようなランプベースを備えたランプに関する。
【背景技術】
【０００３】
このような形式のランプベースは、たとえば国際公開第０３／０３２３６５号パンフレットに開示されている。前掲パンフレットには、ベースを備えた車両用前照灯が記載されており、ベースは、プラスチックベース部分と、プラスチックベース部分に固定され、かつ、弾性的に形成された金属リングとを備えている。金属リングは、一体成形され、かつ逆鉤を備えた３つのウェブを備えており、３つのウェブは、金属リングとプラスチックベース部分との間の着脱不能な差込結合を確保する。
【特許文献１】国際公開第０３／０３２２３６５号パンフレット
【発明の開示】
【発明が解決しようとする課題】
【０００４】
したがって本発明の課題は、冒頭で述べたような形式のランプベースを改良して、プラスチックベース部分と、プラスチックベース部分に固定され、かつ弾性的に形成された金属リングとの協働の改善されたものを提供することである。
【課題を解決するための手段】
【０００５】
この課題を解決するための本発明の装置によれば、ウェブとプラスチックベース部分との間にクランプ部が形成されるように、ウェブが形成されている。
【発明の効果】
【０００６】
本発明の構成によれば、プラスチックベース部分における金属リングの遊びのない機械式の確実な固定が確保される。
【０００７】
本発明の有利な実施形態によれば、ウェブが、クランプ部を形成するために、プラスチックベース部分の材料に食い込むようになっており、これによってプラスチックベース部分における金属リングの簡単で確実な固定が達成される。選択的または追加的に、金属リングのウェブとプラスチックベース部分との間のクランプ部は、ウェブおよび／またはプラスチックベース部分における余剰寸法によって生じるようにするか、もしくは改善することができる。これによって、金属リングとプラスチックベース部分とを接合する際に、プラスチックベース部分の材料は押し込められるか、または圧搾されて、前述の両ベース構成部分の遊びのない相互的な固定が確保される。
【０００８】
有利には、材料リングのウェブが、クランプ部を形成するために、プラスチックベース部分の壁部に設けられた突出部と協働するようになっている。本発明の有利な実施形態によれば、ウェブが突出部の材料に食い込むようになっており、これによってプラスチックベース部分における金属リングの遊びのない確実な固定が達成される。選択的または追加的に、金属リングのウェブとプラスチックベース部分の壁部に設けられた突出部との間のクランプ部は、ウェブおよび／または突出部における余剰寸法によって生じるようにするか、または改善することができる。金属リングとプラスチックベース部分とを接合する際に、金属リングのウェブによって、突出部のプラスチック材料の一部が押し込められるかまたは圧搾されて、ウェブおよび突出部によって、前述の両ベース構成部分の遊びのない固定が確保される。
【０００９】
金属リングのウェブは、有利には、シャープな縁を有する区分を備えており、これによってプラスチックベース部分のプラスチック材料に対する簡単な侵入が達成される。
【００１０】
有利には、ウェブのシャープな縁を有する区分は、折り曲げて、またはフック状に、または鉤爪状に形成されており、これによってプラスチックベース部分の壁部に設けられた突出部における確実な固定が達成される。
【００１１】
本発明の有利な実施形態によれば、プラスチックベース部分の壁部に設けられた突出部は、それぞれ金属リングの２つのウェブの間に配置されているので、ウェブの、シャープな縁を有する区分は、それぞれ２つのウェブの間に配置された突出部に食い込んで、そこで固定するか、もしくは掛止する。ウェブの、シャープな縁を有する区分の間の間隔は、ウェブの間に配置された突出部の幅よりも小さくなっている。
【００１２】
選択的に、金属リングのウェブは、それぞれプラスチックベース部分の壁部に設けられた２つの突出部の間に配置してもよく、その結果各ウェブのシャープな縁が、ウェブの両側に配置された突出部に食い込んで、ウェブはそこで固定するか、または掛止する。この場合有利には、シャープな縁を有するウェブ区分の幅は、プラスチックベース部分の壁部に設けられた、ウェブの両側に配置された突出部の間の間隔よりも大きくなっている。このために金属リングのウェブは、たとえば鉤爪を備えた矢印先端部分の形状を有していてよい。
【００１３】
選択的な別の実施形態によれば、金属リングのウェブは、プラスチックベース部分の壁部に設けられた突出部に配置することができるので、ウェブの片側に設けられた、単数または複数のシャープな縁は、ベースにおける突出部に食い込むか、または挟み込み、このために別の片側に、シャープな縁を有する少なくとも別の１つのウェブが必要であり、これによってクランプが得られる。
【００１４】
ウェブの、シャープな縁を有する区分の存在しない前述の選択的な実施形態では、クランプ部は、専ら突出部とウェブとの間の余剰寸法許容誤差によって得られる。たとえばプラスチックベース部分の突出部は、それぞれ金属リングの２つのウェブの間に配置することができ、この場合クランプ部は、両方のウェブの間の間隔が突出部の幅よりも僅かに小さくなっていることによって、得られる。
【００１５】
金属リングに一体成形されたウェブは、有利にはリング面に対して垂直方向で延びており、これによってプラスチックベース部分に関するリング面の位置は、ウェブによって規定することができる。
【００１６】
本発明の有利な実施形態によれば、金属リングは、リング面に対して垂直に作用するばねエレメントを備えていて、かつリング面で、プラスチックベース部分の表面に載設しており、この場合プラスチックベース部分の表面は、ばねエレメントの領域で凹部を有している。凹部は、リング平面に対して垂直のばね作用を及ぼすために、前述のばねエレメントのために比較的多くのスペースを提供する。
【００１７】
本発明は、有利には車両用の白熱ランプの金属−プラスチックベース部分に関して設けたものであるが、別のランプ型のベースに適合させることもできる。
【発明を実施するための最良の形態】
【００１８】
以下に本発明の実施の形態を図面を用いて具体的に説明する。
【００１９】
図５に示した本発明によるランプは、車両用前照灯に使用するために設けられたハロゲン白熱ランプである。このようなランプは、コイル形のフィラメント５の収容された、実質的に円筒形のガラスから成るランプ容器４を備えており、フィラメント５の巻軸線は、ランプの縦軸線Ａもしくはランプ容器４のシリンダ軸線に対して平行にずらして配置されている。フィラメント５を保持し、かつフィラメントに電圧供給するために、２つの導入線６，７が役立ち、導入線６，７は、ランプ容器４の、ベースに近い方の端部から導出されている。ランプ容器４の、ベースに近い方の端部は、金属製のランプベース部分３の凹部にクランプ嵌めで固定されている。ガラス製のランプ容器４の他方の端部は、遮光性のコーティングを備えている。金属製のランプベース部分３およびばね弾性的に形成された金属リング２は、それぞれプラスチックベース部分１に固定されている。プラスチックベース部分１から、金属製のコンタクト片８，９として形成された、車両用ランプの２つの電気接続部が側方で突出しており、電気接続部は、それぞれ導入線６，７と導電接続されている。金属製のランプベース部分３に３つの基準突出部３１が形成されており、基準突出部３１は、ランプの縦軸線Ａに対して垂直の一平面上を延びていて、かつ車両用前照灯の保持部にランプを取り付けるために３つのばねエレメント２１，２２，２３と協働する。３つのばねエレメント２１，２２，２３は、ランプの縦軸線Ａの方向でばね作用を及ぼすので、車両用前照灯の保持部またはソケットは、ランプを取り付けた後の状態で、基準突出部３１とばねエレメント２１，２２，２３との間にクランプ嵌めで配置されており、この場合前述の保持部と相俟って、３つの基準突出部３１の形状および配置構造によって、前照灯の光軸に関するフィラメント４の方向性が確保される。さらに金属製のランプベース部分３に側方の押圧ばね３０が設けられており、押圧ばね３０は、縦軸線Ａに対して垂直にばね作用を及ぼし、ひいては保持部におけるランプの側方固定を確保するする。
【００２０】
図２には、図５に示した車両用ランプのプラスチックベース部分１を示した。プラスチックベース部分１には、電気接続部８，９が埋め込まれており、電気接続部８，９は、金属製のコンタクト片として形成されており、電気接続部８，９の、ベースに突入する端部は、それぞれ導入線６，７に溶接されている。コンタクト片８，９の、ベースから突出するコンタクト面に、それぞれ円形ディスク形状の貫通孔が設けられている。プラスチックベース部分１は、実質的にポット（容器）状に形成されていて、かつ金属リング２のためのリング状の載設面１５を備えており、載設面１５は、金属リング２のばねエレメント２１，２２，２３の領域で３つの凹部１２，１３，１４によって中断されている。プラスチックベース部分１の内壁は、等間隔で配置されたウェブ状の３つの突出部１１を備えており、突出部１１は金属リング２を固定するのに役立つ。
【００２１】
図３には、弾性的に形成された金属リング２を示した。金属リング２は、外側のリング周に沿って等間隔に配置された３つのばねエレメント２１，２２，２３を備えており、ばねエレメントの自由端部は、リング平面から突出しており、ばねエレメントは、リング平面もしくはリング面に対して垂直にばね作用を及ぼす。さらに金属リング２は、３対のウェブ２４，２５を備えており、ウェブ２４，２５は、リング平面もしくはリング面に対して垂直に延びていて、かつリング内周に沿って等間隔に配置されていて、また金属リング２に一体成形されている。金属ウェブ２４，２５の端部区分２４０，２５０は、シャープな縁を有していて、かつフック状に形成されている。図４には、図３に示した金属リング２の一部を拡大して、特にウェブ２４，２５を詳しく示した。ウェブ２４，２５の端部区分２４０，２５０は、突出部１１と協働し、これによって金属リング２をプラスチックベース部分１に固定することができる。各ウェブ対２４，２５の間に、それぞれ突出部１１がクランプ嵌めで配置されている。ウェブ対２４，２５の、シャープな縁を有するフック状の端部区分２４０，２５０の間の間隔は、対応する突出部１１の幅よりも小さくなっているので、シャープな縁を有するフック状の端部区分２４０，２５０は、プラスチックベース部分１に金属リング２を取り付ける際に、突出部１１のプラスチック材料に食い込んで、そこで掛止する。図１には、金属リング２の取り付けられたプラスチックベース部１を図示し、またプラスチックベース部分１の内壁に設けられた突出部１１と金属ウェブ２４，２５との協働を図示した。３対の金属ウェブ２４，２５が、プラスチックベース部分１の内壁に当接する。
【００２２】
本発明は、上述の実施例に制限されるものではない。たとえば金属リング２は、単に１対のウェブ２４，２５を備えていてもよく、また４対以上のウェブ２４，２５を備えていてもよい。さらにウェブ２４，２５は、必ずしもプラスチックベース部分１の内壁に当接するか、または等間隔で配置する必要はない。また本発明は、金属−プラスチックベースを備えた任意の別のランプに使用することもできる。
【図面の簡単な説明】
【００２３】
【図１】本発明による、弾性的に形成された金属リングの固定されたランプベースのプラスチックベース部分の有利な実施例を示す概略図である。
【図２】弾性的に形成された金属リングの固定されていない状態で、図１のプラスチックベース部分を示す概略図である。
【図３】プラスチックベース部分に固定されていない状態で、図１に示した、弾性的に形成された金属リングを示す概略図である。
【図４】図３に示した金属リングのウェブを拡大して示す概略図である。
【図５】図１に示したプラスチックベース部分と金属リングとを備えた車両用ランプである。
【符号の説明】
【００２４】
１  プラスチックベース部分、  ２  金属リング、  ３  ランプベース部分、  ４  ランプ容器、  ５  フィラメント、  ６，７  導入線、  ８，９  コンタクト片、  １１  突出部、  １２，１３，１４  凹部、  １５  載設面、  ２４，２５  ウェブ、  ２４０，２５０  端部区分、  ３１  基準突出部、  ２１，２２，２３  ばねエレメント、  ３０  押圧ばね、  Ａ  縦軸線
【図１】
2006332059.tif 000003
【図２】
2006332059.tif 000004
【図３】
2006332059.tif 000005
【図４】
2006332059.tif 000006
【図５】
2006332059.tif 000007